(57)【要約】  本発明のサブキャリア割当装置は、サブキャリアをリンクに割り当てる際のリンクの割当パターンを複数記憶するメモリ（１２）と、サブキャリアを１つずつ順番に選択する選択部（１１）と、複数の基地局のセルに対応して設けられ、割当パターンごとに、選択部（１１）にて現在選択されているサブキャリアを該割当パターンに応じて各リンクに割り当てたときの対応セルの割当の好ましさを表す割当評価値を計算する複数の割当評価値計算部（１３）と、割当パターンごとに、複数の割当評価値計算部（１３）の各々にて計算された割当評価値を加算する加算器（１４）と、加算器（１４）にて加算された割当評価値の加算結果の中から最大値を検出し、加算結果が最大値となるときの割当パターンを、選択部（１１）にて現在選択されているサブキャリアの最適割当パターンに決定する最大値検出器（１５）と、を有する。
2009098822.tif 000002
【特許請求の範囲】
【請求項１】
サブキャリアごとに、複数の基地局の各々における端末との間のリンクの中から、該サブキャリアを割り当てるリンクを決定するサブキャリア割当装置によるサブキャリア割当方法であって、
サブキャリアをリンクに割り当てる際のリンクの割当パターンを複数用意し、
サブキャリアを１つずつ順番に選択し、
前記割当パターンごとに、現在選択されているサブキャリアを該割当パターンに応じて各リンクに割り当てたときの前記複数の基地局の各々のセルの割当の好ましさを表す割当評価値を計算し、
前記割当パターンごとに、前記複数の基地局の各々のセルの割当評価値を加算し、
前記割当評価値の加算結果の中から最大値を検出し、加算結果が最大値となるときの割当パターンを、現在選択されているサブキャリアの最適割当パターンに決定する、サブキャリア割当方法。
【請求項２】
サブキャリアごとに、複数の基地局の各々における端末との間のリンクの中から、該サブキャリアを割り当てるリンクを決定するサブキャリア割当装置であって、
サブキャリアをリンクに割り当てる際のリンクの割当パターンを複数記憶するメモリと、
サブキャリアを１つずつ順番に選択する選択部と、
前記複数の基地局のセルに対応して設けられ、前記割当パターンごとに、前記選択部にて現在選択されているサブキャリアを該割当パターンに応じて各リンクに割り当てたときの対応セルの割当の好ましさを表す割当評価値を計算する複数の割当評価値計算部と、
前記割当パターンごとに、前記複数の割当評価値計算部の各々にて計算された割当評価値を加算する加算器と、
前記加算器にて加算された割当評価値の加算結果の中から最大値を検出し、加算結果が最大値となるときの割当パターンを、前記選択部にて現在選択されているサブキャリアの最適割当パターンに決定する最大値検出器と、を有するサブキャリア割当装置。
【請求項３】
前記割当評価値は、対応セルの受信状況の情報を基に計算される伝送可能ビット数である、請求項２に記載のサブキャリア割当装置。
【請求項４】
前記割当評価値は、対応セルの受信状況の情報を基に計算される伝送可能ビット数を、サブキャリアを割り当てる端末の平均ビットレートで割った値である、請求項２に記載のサブキャリア割当装置。
【請求項５】
対応セルの受信状況の情報は、サブキャリアを割り当てる基地局と端末との間の受信電力の情報である、請求項２から４のいずれか１項に記載のサブキャリア割当装置。
【請求項６】
前記割当パターンは、各リンクについて、サブキャリアを該リンクに割り当てるか割り当てないかの２値で表したパターンである、請求項２から５のいずれか１項に記載のサブキャリア割当装置。
【請求項７】
前記割当パターンは、各リンクについて、該リンクにおける送信電力を、送信電力オフから最大送信電力までの複数の段階で表したパターンである、請求項２から５のいずれか１項に記載のサブキャリア割当装置。
【請求項８】
サブキャリアの割当対象となる基地局は、セクタ構造を有する親となる基地局の各セクタに対応する、請求項２から７のいずれか１項に記載のサブキャリア割当装置。
【発明の詳細な説明】
【技術分野】
【０００１】
本発明は、マルチキャリア方式の無線通信システムにおいて、セル間の干渉を低減するためのサブキャリア割当方法およびその装置に関する。
【背景技術】
【０００２】
近年、無線通信システムの多元接続方式として、マルチキャリア方式、特に、直交周波数分割多元接続方式（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）が注目を集めている。【０００３】
セルラ環境にＯＦＤＭＡを適用するとき、セル間で同じサブキャリアを用いると、互いに干渉し、スループットが低下する。そこで、干渉を与える側のセルでは、サブキャリアの送信電力を下げたり、そのサブキャリアは使わないなどの対策が提案されている。【０００４】
そのような対策を施した技術の１つが特許文献１に開示されている。【０００５】
特許文献１に開示された技術では、複数の基地局（Ｂａｓｅ  Ｓｔａｔｉｏｎ：ＢＳ）に接続した無線ネットワークコントローラ（Ｃｅｎｔｒａｌ  Ｅｎｔｉｔｙ：ＣＥ）が、各基地局の無線リソース（時間・周波数グループ）の割当を行っている。【０００６】
端末（Ｔｅｒｍｉｎａｌ：Ｔ）は、複数の基地局の各々からパイロット信号を受信して、その受信強度を測定し、測定した受信強度を基地局に通知する。基地局は、端末から通知された受信強度の情報を、無線ネットワークコントローラに転送する。【０００７】
無線ネットワークコントローラは、端末の受信強度の情報に基づいて、時間・周波数グループを基地局に割り当て、その割当情報を基地局に通知する。【０００８】
基地局は、無線ネットワークコントローラから通知された時間・周波数グループの割当情報の指示に応じて、自局のセル内に位置する端末へデータを送信する。【０００９】
特許文献１に開示された技術では、時間・周波数グループの割当を行うに際して、送信された有用な信号と結果としての干渉とを同時に調整したり、送信された有用な信号と２つ以上の近隣基地局から送信された同じ信号とを同時に調整したりする。【００１０】
近隣基地局から同じ信号が送信されない場合は、前者の「送信された有用な信号と結果としての干渉とを同時に調整する」ことになる。【００１１】
特許文献１には、各基地局が自局のセル内に位置する端末に周波数グループを割り当てていき、基地局間のサービス重複地域すなわちセル境界付近に位置する端末に割り当てた周波数グループの送信電力を、隣接基地局のセル内に位置する端末に対しては下げる、という方法が具体的に示されている。【００１２】
しかし、上記の方法では、セル境界付近に位置する端末のスループットが上がることは期待できるが、その一方で、隣接基地局のセル内に位置し送信電力を下げた端末のスループットは下がり、システム全体のスループットが上がる保障はないという課題がある。【００１３】
また、端末への無線リソース割当の公平性を尺度するプロポーショナル・フェアネスを適用する場合においても、システム全体の公平性が上がる保障はないという課題がある。【００１４】
さらに、セル境界付近に位置する端末に、隣接基地局のセル内に位置する端末と同じ周波数グループを割り当てる場合、どちらの送信電力を優先するのか特許文献１では不明であり、一般的にも対応方法は知られていないという課題がある。
【特許文献１】特開２００６−０３３８２６号公報
【発明の開示】
【００１５】
そこで、本発明の目的は、上記の課題の少なくとも１つを解決するサブキャリア割当方法およびその装置を提供することにある。
【００１６】
上記目的を達成するために本発明のサブキャリア割当方法は、
サブキャリアごとに、複数の基地局の各々における端末との間のリンクの中から、該サブキャリアを割り当てるリンクを決定するサブキャリア割当装置によるサブキャリア割当方法であって、
サブキャリアをリンクに割り当てる際のリンクの割当パターンを複数用意し、
サブキャリアを１つずつ順番に選択し、
前記割当パターンごとに、現在選択されているサブキャリアを該割当パターンに応じて各リンクに割り当てたときの前記複数の基地局の各々のセルの割当の好ましさを表す割当評価値を計算し、
前記割当パターンごとに、前記複数の基地局の各々のセルの割当評価値を加算し、
前記割当評価値の加算結果の中から最大値を検出し、加算結果が最大値となるときの割当パターンを、現在選択されているサブキャリアの最適割当パターンに決定する。
【００１７】
上記目的を達成するために本発明のサブキャリア割当装置は、
サブキャリアごとに、複数の基地局の各々における端末との間のリンクの中から、該サブキャリアを割り当てるリンクを決定するサブキャリア割当装置であって、
サブキャリアをリンクに割り当てる際のリンクの割当パターンを複数記憶するメモリと、
サブキャリアを１つずつ順番に選択する選択部と、
前記複数の基地局のセルに対応して設けられ、前記割当パターンごとに、前記選択部にて現在選択されているサブキャリアを該割当パターンに応じて各リンクに割り当てたときの対応セルの割当の好ましさを表す割当評価値を計算する複数の割当評価値計算部と、
前記割当パターンごとに、前記複数の割当評価値計算部の各々にて計算された割当評価値を加算する加算器と、
前記加算器にて加算された割当評価値の加算結果の中から最大値を検出し、加算結果が最大値となるときの割当パターンを、前記選択部にて現在選択されているサブキャリアの最適割当パターンに決定する最大値検出器と、を有する。
【００１８】
本発明によれば、まず、サブキャリアを選択し、割当パターンごとに、現在選択されているサブキャリアを各リンクに割り当てたときの複数の基地局の各々のセルの割当の好ましさを表す割当評価値を加算し、加算結果が最大値となるときの割当パターンを、現在選択されているサブキャリアの最適割当パターンに決定する。
【００１９】
このように、サブキャリアごとに、各セルの割当評価値が最大値となる割当パターンを、そのサブキャリアの最適割当パターンとしているため、システム全体のスループットおよび公平性の向上を図ることができるという効果が得られる。
【００２０】
また、サブキャリアを、基地局における端末との間のリンクに割り当てるため、セル境界付近に位置している端末の送信電力を、リンクを張っている方の基地局のセルの送信電力に優先的に決定することができるとういう効果が得られる。
【図面の簡単な説明】
【００２１】
【図１】本発明の第１の実施形態のサブキャリア割当装置の構成を示す図である。
【図２】図１に示したサブキャリア割当装置を上りリンクに適用した場合の動作の一例を説明する図である。
【図３】図２に示した基地局と端末との間の受信電力の一例を説明する図である。
【図４】図２に示した基地局と端末との間のリンクの割当パターンの一例を説明する図である。
【図５】図１に示したサブキャリア割当装置を下りリンクに適用した場合の動作の一例を説明する図である。
【図６】本発明の第２の実施形態の無線通信システムを上りリンクに適用した場合の構成の一例を示す図である。
【図７】本発明の第２の実施形態の無線通信システムを下りリンクに適用した場合の構成の一例を示す図である。
【図８】本発明の第２の実施形態の無線通信システムを下りリンクに適用した場合の構成の他の例を示す図である。
【発明を実施するための最良の形態】
【００２２】
以下に、本発明の実施の形態について図面を参照して詳細に説明する。【００２３】
（第１の実施形態）
図１は、本実施形態のサブキャリア割当装置１０の構成を示す図である。【００２４】
図１に示した本実施形態のサブキャリア割当装置１０は、選択部１１と、割当パターンメモリ１２と、ｎ（ｎは２以上の自然数）個の基地局のセルの各々に対応して設けられたｎ個の割当評価値計算部１３−１〜１３−ｎと、加算器１４と、最大値検出器１５と、を有している。【００２５】
本実施形態のサブキャリア割当装置１０は、サブキャリアごとに、複数の基地局の各々における端末との間のリンク（上りリンクあるいは下りリンク）の中から、そのサブキャリアを割り当てるリンクを決定する。【００２６】
選択部１１は、リンクの割当の判定が必要なすべてのサブキャリアを１つずつ順番に選択する。【００２７】
割当パターンメモリ１２は、サブキャリアをリンクに割り当てる際のリンクの割当パターンを複数記憶する。【００２８】
なお、割当パターンメモリ１２には、割当パターンとして、サブキャリアを、割当可能なリンクのいずれか１つに割り当てる場合から、サブキャリアを、割当可能なすべてのリンクに割り当てる場合まで、組み合せ可能なパターンをすべて用意する。【００２９】
割当評価値計算部１３−１〜１３−ｎは、割当パターンごとに、選択部１１にて現在選択されているサブキャリアをその割当パターンに応じて各リンクに割り当てたときの対応セルの割当評価値を、不図示の基地局から入力される対応セルの受信状況の情報に基づいて計算する。【００３０】
なお、割当評価値とは、対応セルにおける割当の好ましさを表す値である。【００３１】
割当評価値計算部１３−１〜１３−ｎにおける割当評価値の計算方法は、計算に用いる割当指標の種類に応じて異なるが、本発明ではその種類に限定はない。【００３２】
割当指標としては、例えば、希望信号電力対干渉電力＋雑音電力の比（Ｓｉｇｎａｌ  ｔｏ  Ｎｏｉｓｅ  Ｒａｔｉｏ：ＳＩＮＲ）や、ＳＩＮＲに対応する伝送可能ビット数や、伝送可能ビット数を、サブキャリアの割当先のリンクの端末の平均ビットレートで割った値（プロポーショナル・フェアネスの割当指標）などが挙げられる。【００３３】
割当評価値の計算方法は、当業者にとってよく知られており、また本発明の本質的な部分ではないので、詳細は省略する。【００３４】
加算器１４は、割当評価値計算部１３−１〜１３−ｎにて計算された割当評価値を加算する。【００３５】
最大値検出器１５は、加算器１４にて加算された割当評価値の加算結果の中から最大値を検出し、このときの割当パターンを、選択部１１にて現在選択されているサブキャリアの最適割当パターンに決定する。【００３６】
以下に、図１に示したサブキャリア割当装置１０の動作を説明する。【００３７】
選択部１１は、リンクの割当の判定が必要なサブキャリアの中から１つを選択する。【００３８】
割当評価値計算部１３−１〜１３−ｎは、割当パターンごとに、選択部１１にて現在選択されているサブキャリアをその割当パターンに応じて各リンクに割り当てたときの対応セルの割当評価値を、対応セルの受信状況の情報に基づいて計算する。【００３９】
加算器１４は、割当パターンごとに、割当評価値計算部１３−１〜１３−ｎにて計算された割当評価値を加算する。【００４０】
最大値検出器１５は、加算器１４にて加算された割当評価値の加算結果の中から最大値を検出する。このときの割当パターンは、すべてのセルの割当評価値の和を最大にする割当パターンである。そのため、最大値検出器１５は、最大値を検出したときの割当パターンを、選択部１１にて現在選択されているサブキャリアの最適割当パターンに決定する。決定したサブキャリアの最適割当パターンは、各基地局に通知される。【００４１】
以上の処理をサブキャリアごとに行い、割当の判定が必要なサブキャリアのすべてについて、そのサブキャリアを割り当てるリンクを決定する。【００４２】
次に、図１に示したサブキャリア割当装置１０の動作を、具体例を挙げて説明する。【００４３】
［上りリンクの場合の例］
まず、図１に示したサブキャリア割当装置１０を上りリンクに適用した場合の動作を、図２を参照して説明する。【００４４】
図２に示すように、サブキャリアを上りリンクに割り当てる場合、割当評価値計算部１３−１〜１３−３には、例えば、図３に示すように、セルの受信状況として、各基地局ＢＳ１〜ＢＳ３で測定した各端末Ｔ１〜Ｔ３からの受信信号の受信電力α１１〜α３３や、各基地局ＢＳ１〜ＢＳ３で測定した総受信電力Ｐ１〜Ｐ３などの情報が入力される。【００４５】
割当パターンメモリ１２には、例えば、図４に示すように、サブキャリアを、基地局−端末のＢＳ１−Ｔ１，ＢＳ２−Ｔ２，ＢＳ３−Ｔ３の３つのリンクのいずれか１つに割り当てる場合から、いずれか２つに割り当てる場合、３つすべてに割り当てる場合まで、全部で７通りの割当パターンを用意する。なお、図４において、各行は、端末Ｔ１〜Ｔ３の送信／非送信パターンを表しているとする。【００４６】
割当評価値計算部１３−１〜１３−３は、割当パターンごとに、その割当パターンに応じて、サブキャリアを各リンクに割り当てたときの対応セルの割当評価値を、対応セルの受信状況の情報に基づいて計算する。【００４７】
例えば、割当指標がＳＩＮＲ（ＭａｘＣ／Ｉ）の場合には、対応セルの受信状況の情報として、各基地局ＢＳ１〜ＢＳ３で測定した各端末Ｔ１〜Ｔ３からの受信信号の受信電力α１１〜α３３や各基地局ＢＳ１〜ＢＳ３の総受信電力Ｐ１〜Ｐ３などが入力される。そして、対応セルの総受信電力から、割当パターンで非送信となっている端末の受信電力を差し引いたものを干渉電力と雑音電力との和とし、対応セルに接続する端末の受信電力を希望信号電力としてＳＩＮＲを計算する。【００４８】
例えば、基地局ＢＳｉで測定した端末Ｔｊからの受信信号の受信電力をαｉｊとし、総受信電力をＰｉとし、図４の第ｋ番目の割当パターンでの端末Ｔｊの送信状態をβｋｊとし、送信のときにはβｋｊ＝１、非送信のときにはβｋｊ＝０とする。【００４９】
このとき、割当パターンｋでの基地局ＢＳｎにおける端末Ｔｎからの信号の受信ＳＩＮＲは、次の数式１で計算される。【００５０】
【数１】
2009098822.tif 000003
［下りリンクの場合の例］
次に、図１に示したサブキャリア割当装置１０を下りリンクに適用した場合の動作を、図５を参照して説明する。【００５１】
図５に示すように、サブキャリアを下りリンクに割り当てる場合、サブキャリア割当装置１０には、対応セルの受信状況として、各端末Ｔ１〜Ｔ３で測定した各基地局ＢＳ１〜ＢＳ３からの信号の受信電力α１１〜α３３や各端末Ｔ１〜Ｔ３の総受信電力Ｐ１〜Ｐ３などの情報が入力される。【００５２】
これにより、サブキャリア割当装置１０では、サブキャリアを割り当てる下りリンクの最適割当パターンを決定することができる。【００５３】
ただし、端末Ｔ１〜Ｔ３で測定した値を上りリンクで基地局ＢＳ１〜ＢＳ３に伝送し、さらに基地局ＢＳ１〜ＢＳ３からサブキャリア割当装置１０に転送する必要がある。【００５４】
また、割当パターンは、図２と同じく、基地局−端末のリンクの割り当てパターンを用いる。ただし、図４において、各行は、端末Ｔ１〜Ｔ３の代わりに、基地局ＢＳ１〜ＢＳ３の送信／非送信パターンになる。【００５５】
例えば、端末Ｔｊで測定した基地局ＢＳｉからの受信信号の受信電力をαｉｊとし、総送受信電力Ｑｊとし、図４の第ｋ番目の割当パターンでの基地局の送信状態をβｋｉとし、送信のときにはβｋｉ＝１、非送信のときにはβｋｉ＝０とする。【００５６】
このとき、割当パターンｋでの端末Ｔｎにおける基地局ＢＳｎからの信号の受信ＳＩＮＲは、次の数式２で計算される。【００５７】
【数２】
2009098822.tif 000004
（第２の実施形態）
［無線通信システムの上りリンクの場合の例］
図６は、本実施形態の無線通信システムを上りリンクに適用した場合の構成の一例を示す図である。なお、図６においては、図１に示したサブキャリア割当装置１０が、無線ネットワークコントローラ（ＣＥ）として組み込まれている。【００５８】
図６に示した無線通信システムは、サブキャリア割当装置（ＣＥ）１０と、端末（Ｔ）２０と、基地局（ＢＳ）３０−１〜３０−ｎと、を有している。なお、図６においては、説明の簡略化のために端末２０が１つだけ図示されているが、実際には複数設けられている。【００５９】
端末２０は、パイロット信号送信部２１と、データ送信部２２と、割当情報受信部２３と、送受信アンテナ２４と、を有している。【００６０】
基地局３０−１は、パイロット信号の受信電力測定部３１−１と、データ復調部３２−１と、割当情報送信部３３−１と、送受信アンテナ３４−１と、を有している。なお、他の基地局３０−２〜３０−ｎも、基地局３０−１と同様の構成要素を有している。【００６１】
サブキャリア割当装置１０は、各基地局３０−１〜３０−ｎの受信電力測定部３０−１〜３０−ｎの出力信号を入力として、サブキャリアごとに、基地局３０−１〜３０−ｎにおけるリンクの中から、サブキャリアを割り当てるリンクを決定し、決定したリンクの割当情報を各基地局３０−１〜３０−ｎの割当情報送信部３３−１〜３３−ｎに出力する。【００６２】
次に、図６に示した無線通信システムの動作を説明する。【００６３】
まず、各端末２０は、パイロット信号送信部２１により、送受信アンテナ２４を介して既知のパイロット信号を送信する。【００６４】
各基地局３０−１〜３０−ｎは、端末２０からのパイロット信号を送受信アンテナ３４−１〜３４−ｎで受信すると、受信電力測定部３１−１〜３１−ｎにより、パイロット信号の受信電力と総受信電力を測定する。測定結果は、サブキャリア割当装置１０へ通知される。【００６５】
サブキャリア割当装置１０は、各基地局３０−１〜３０−ｎから通知された測定結果を基に、サブキャリアを割り当てるリンクを決定する。決定したサブキャリアの割当情報（最適割当パターン）は、各基地局３０−１〜３０−ｎに通知される。【００６６】
各基地局３０−１〜３０−ｎは、割当情報送信部３３−１〜３３−ｎにより、サブキャリア割当装置１０から割当情報を受信して、端末２０に転送する。【００６７】
各端末２０は、基地局３０−１〜３０−ｎからの割当情報を送受信アンテナ２４で受信すると、割当情報受信部２３により、その割当情報を復調し、その割当情報の指示に従って、上りリンクのデータをデータ送信部２２により送信する。【００６８】
各基地局３０−１〜３０−ｎは、端末２０からの上りリンクのデータを送受信アンテナ３４−１〜３４−ｎで受信すると、データ復調部３２−１〜３２−ｎにより、その上りリンクのデータを復調する。【００６９】
なお、割当パターンメモリ１２に記憶する割当パターンは、各端末２０の送信／非送信パターン、すなわち、各リンクについて、そのリンクにサブキャリアを割り当てるか割り当てないかの２値で表したパターンに限定されない。例えば、割当パターンは、パターン数としては増えるが、各リンクについて、そのリンクにおける送信電力を、送信電力オフから最大送信電力までの複数の段階で表したパターンであってもよい。【００７０】
そのとき、図４のβｋｊは、送信電力オフのときに０、最大送信電力のときに１となる連続値を用いる。【００７１】
［無線通信システムの下りリンクの場合の例］
図７は、本実施形態の無線通信システムを下りリンクに適用した場合の構成の一例を示す図である。なお、図７は、図６に示した上りリンクへのサブキャリアの割り当てを、下りリンクに適用した例である。また、図７においては、図１に示したサブキャリア割当装置１０が、無線ネットワークコントローラ（ＣＥ）として組み込まれている。【００７２】
図７に示した無線通信システムは、全体構成は図６と同様である。【００７３】
図６と比較すると、端末２０のパイロット信号送信部２１、基地局３０−１〜３０−ｎの受信電力測定部３１−１〜３１−ｎ、およびサブキャリア割当装置１０は共通である。【００７４】
ただし、端末２０側では、図６に示したデータ送信部２２および割当情報受信部２３の代わりに、データ復調部２５が設けられている。また、基地局３０−１〜３０−ｎ側では、データ復調部３２−１〜３２−ｎおよび割当情報送信部３３−１〜３３−ｎの代わりに、データ送信部３５−１〜３５−ｎが設けられている。【００７５】
サブキャリア割当装置１０にて決定されたサブキャリアの割当情報（最適割当パターン）は、各基地局３０−１〜３０−ｎに通知される。【００７６】
各基地局３０−１〜３０−ｎは、データ送信部３５−１〜３５−ｎにより、サブキャリア割当装置１０から通知された割当情報の指示に従って、下りリンクのデータを端末２０に送信する。【００７７】
各端末２０は、基地局３０−１〜３０−ｎからの下りリンクのデータを送受信アンテナ２４で受信すると、データ復調部２５により、その下りリンクのデータを復調する。【００７８】
［無線通信システムの下りリンクの場合の他の例］
図８は、本実施形態の無線通信システムを下りリンクに適用した場合の構成の他の例を示す図である。なお、図８においては、図１に示したサブキャリア割当装置１０が、無線ネットワークコントローラ（ＣＥ）として組み込まれている。【００７９】
図８に示した無線通信システムは、全体構成は図７と同様である。【００８０】
ただし、図７と比較すると、端末２０側では、パイロット信号送信部２１の代わりに、受信電力測定部２６および測定結果送信部２７が設けられている。また、基地局３０−１〜３０−ｎ側では、受信電力測定部３１−１〜３１−ｎの代わりに、パイロット信号送信部３６−１〜３６−ｎおよび測定結果受信部３７−１〜３７−ｎが設けられている。【００８１】
図７に示した無線通信システムでは、端末２０が送信したパイロット信号について、基地局３０−１〜３０−ｎで受信電力を測定していた。【００８２】
これに対して、図８に示した無線通信システムでは、各基地局３０−１〜３０−ｎは、パイロット信号送信部３６−１〜３６−ｎにより、パイロット信号を端末２０に送信し、各端末２０は、受信電力測定部２６により受信電力を測定する。測定結果は、測定結果送信部２７により、各基地局３０−１〜３０−ｎに送信される。【００８３】
各基地局３０−１〜３０−ｎは、測定結果受信部３７−１により、端末２０から測定結果を受信して、サブキャリア割当装置１０に転送する。【００８４】
このとき、サブキャリア割当装置１０は、割当パターンとして、基地局ごとの送信パターンを用いる。すなわち、図４において、各行は、端末Ｔ１〜Ｔ３の代わりに、基地局ＢＳ１〜ＢＳ３の送信／非送信パターンになる。【００８５】
受信電力測定部２６で測定し測定結果送信部２７により基地局に送信される情報としては、端末がハンドオーバ判定用に測定している信号を用いてもよい。【００８６】
以上、実施形態を参照して本発明を説明したが、本発明は上記実施形態に限定されものではない。本発明の構成や詳細には、本発明の範囲内で当業者が理解し得る様々な変更をすることができる。【００８７】
例えば、以上説明した実施形態では、サブキャリアごとに割り当てを行うとしたが、本発明はこの限りではない。【００８８】
すなわち、本発明では、サブキャリアごとに割り当てを行う代わりに、複数のサブキャリアをまとめて割り当てを行ったり、時間方向のシンボルを単位として割り当てを行ったりする場合に適用してもよい。【００８９】
また、以上説明した実施形態では、基地局３０−１〜３０−ｎは独立に存在し、サブキャリア割当装置１０は基地局３０−１〜３０−ｎの外部に独立して存在するかのように説明したが、本発明はこの限りではない。【００９０】
すなわち、本発明では、サブキャリア割当装置１０に接続する基地局３０−１〜３０−ｎは、親となる基地局の各セクタに対応し、サブキャリア割当装置１０は、親基地局に備えられた制御部であってもよい。【００９１】
その場合、各セクタとサブキャリア割当装置１０との間の情報伝送は、親基地局内の伝送となるため、伝送する情報量の制約は軽微になる。【００９２】
本出願は、２００８年２月６日に出願された日本出願特願２００８−０２６３３６を基礎とする優先権を主張し、その開示の全てをここに取り込む。
【図１】
2009098822.tif 000005
【図２】
2009098822.tif 000006
【図３】
2009098822.tif 000007
【図４】
2009098822.tif 000008
【図５】
2009098822.tif 000009
【図６】
2009098822.tif 000010
【図７】
2009098822.tif 000011
【図８】
2009098822.tif 000012
【国際調査報告】
2009098822.tif 000013
2009098822.tif 000014
2009098822.tif 000015